(57)【要約】  本発明は、光ディスクに複数のレーザビームＡ、Ｂによってデータを記録するための方法及びシステムに関し、前記光ディスクは、同期パターンによってそれぞれ識別されるセグメント１〜５１を有し、前記複数のレーザビームは、第１セグメントにデータを記録する及び／又は第１セグメントからデータを読取るための、前記光ディスク上で第１位置にある第１レーザビームＡと、第２セグメントにデータを記録するための、前記光ディスク上で第２位置にある第２レーザビームＢとを少なくとも有し、当該方法は、−  前記第１位置並びに前記第１レーザビーム及び前記第２レーザビーム間の相対距離から前記第２位置を演算するステップ４１０、−  前記第２レーザビームによって同期パターンを検出するステップ４２０、及び−  前記第２位置及び前記検出された同期パターンに基づいて前記第２レーザビームによってデータの記録を開始するステップ４３０を有する。
2009516321.tif 000002
【特許請求の範囲】
【請求項１】
光ディスクに複数のレーザビームによってデータを記録する方法であって、前記光ディスクは、同期パターンによってそれぞれ識別されるセグメントを有し、前記複数のレーザビームは、第１セグメントにデータを記録する及び／又は第１セグメントからデータを読取るための、前記光ディスク上で第１位置にある第１レーザビームと、第２セグメントにデータを記録するための、前記光ディスク上で第２位置にある第２レーザビームとを少なくとも有し、当該方法は、
−  前記第１位置並びに前記第１レーザビーム及び前記第２レーザビーム間の相対距離から前記第２位置を演算するステップ、
−  前記第２レーザビームによって同期パターンを検出するステップ、及び
−  前記第２位置及び前記検出された同期パターンに基づいて前記第２レーザビームによるデータの記録を開始するステップ、
を有する方法。
【請求項２】
前記相対距離は、前記第１レーザビーム及び前記第２レーザビーム間の角度差又は径の差に相当することを特徴とする請求項１に記載の方法。
【請求項３】
同期パターンによってそれぞれ識別されるセグメントを有する光ディスクに複数のレーザビームによってデータを記録するためのシステムであって、前記複数のレーザビームは、第１セグメントにデータを記録する及び／又は第１セグメントからデータを読取るための、前記光ディスク上で第１位置にある第１レーザビームと、第２セグメントにデータを記録するための、前記光ディスク上で第２位置にある第２レーザビームとを少なくとも有し、当該システムは、
−  前記第１位置並びに前記第１レーザビーム及び前記第２レーザビーム間の相対距離から前記第２位置を演算する手段、
−  前記第２レーザビームによって同期パターンを検出する手段、及び
−  前記第２位置及び前記検出された同期パターンに基づいてデータの記録を開始するように前記第２レーザビームを制御する手段、
を有するシステム。
【請求項４】
前記相対距離は、前記第１レーザビーム及び前記第２レーザビーム間の角度差又は径の差に相当することを特徴とする請求項３に記載のシステム。
【請求項５】
複数のレーザビームによって光ディスクにデータを記録するための装置であって、請求項３又は４に記載のシステムを有する装置。
【発明の詳細な説明】
【技術分野】
【０００１】
本発明は、光ディスクに複数のレーザビームによってデータを記録するための方法及びシステムに関する。
【背景技術】
【０００２】
オプティカルストレージソリューションの発展、及びＶＣＤ（ビデオコンパクトディスク(video compact disc)）、ＤＶＤ（デジタルバーサタイルディスク(digital versatile disc)）又はＢＤ（ブルーレイディスク(Blu-ray disc)）等の光ディスクのデータ容量の増加に伴い、斯かる光ディスクにデータを記録する速度が、鍵になる要因となっている。
【０００３】
高速で光ディスクにデータを記録するための幾つかの技術が知られており、とりわけ、並行してデータを記録する複数のレーザビームを用いる技術がある。斯かる技術は、複数のレーザビームが、光ディスクにデータを同時に記録し、次いで、当該複数のレーザビームが３６０°の倍数等の予め定められた角度だけ回転した後に次の位置に同時にシフトされるように制御されることを提案している。
【０００４】
これら既知の技術には、幾つかの重大な限界がある。実際、複数のレーザビームが前記予め定められた角度だけシフトされる場合、各レーザビームによって記録されるべき新しいデータシーケンスは、（光ディスク上で予め定められている）データセグメントの内部に位置することが多い。このことは、レーザビームが、記録されるべき連続したデータシーケンスをリンクさせるためのチャネルビット長よりも小さな高精度で制御されなければならないことを暗に意味している。このような高精度に到達することは、達成が困難であるだけでなく、高価である。さらに、このような高精度に到達しない場合、連続して記録されるデータシーケンスは、途切れずにリンクされることができず、これは、データシーケンス内のデータのオーバーラップのため記録エラーを招く、及び／又はデータ損失を招くこととなる。
【０００５】
しかしながら、光ディスク上でセグメントの始め(start)からデータを記録することは、より低い精度、例えば、単に、ウォブル波長の尺度(scale)におけるレーザビームのレーザパルスの制御しか要求しない。この場合、レーザビームによって記録されるデータシーケンスと次のレーザビームによって記録される後続のデータシーケンスとをシームレスにリンクさせるため、光ディスクへのデータ記録を開始するために（光ディスクの螺旋内に予め定められている）セグメントの始めを検出する必要がある。
【０００６】
セグメントの始めを検出する多くの従来既知の方法は、光ディスクの螺旋トラック内のプリグルーブ(pre-groove)情報にしか基づかない。光ディスクの螺旋内のプリグルーブ情報しか用いないが、セグメントの始めは瞬時に検出されることができない。なぜなら、レーザビームは、プリグルーブ情報の最小長を読取る、例えば、例としてブルーレイディスク(Blu-ray Disc)規格を扱っている場合レーザビームの位置情報を得るために（光ディスクの螺旋内に予め定められている）セグメントの少なくとも１／３を読取る必要があるからである。実際、斯かる規格の場合、セグメント（当該セグメントは、ブルーレイディスクの螺旋内に予め定められている。記録後、当該セグメントはＲＵＢ(recording unit block)となるであろう。）は、３個のＡＤＩＰ(Address In Pre-groove)ワードの長さと等価である。ＡＤＩＰワードの全長未満（すなわち、セグメントの１／３未満）しか走査されない場合、現在のセグメントの始めは検出されることができず、ゆえに、記録は、次のセグメントの始めからしか開始されることができない。すなわち、レーザビームは、記録を開始するためにより長時間待たなければならない。
【０００７】
図１は、光ディスク上の３つの連続したセグメント（Ｓ１、Ｓ２、Ｓ３）を示す概略図であり、各セグメントは、３個のＡＤＩＰワード（ＡＤＩＰ１、ＡＤＩＰ２、ＡＤＩＰ３）を有している。
【０００８】
図１は、セグメントＳ１のワードＡＤＩＰ３の内部に位置するレーザビームＢを示し、これは、レーザビームＢの現在の位置及び後続するセグメントＳ２の始めＳｔａｒｔ＿Ｓ２間の距離が、１個のＡＤＩＰワードの長さよりも短いことを意味する。結果として、光ディスク上のセグメントＳ１の位置は検出されることができず、ゆえに、記録は、後続するセグメントＳ２の始めにおいて開始されることができない。斯くして、レーザは、後続するセグメントＳ２の少なくとも１つのＡＤＩＰワード全体を走査し、光ディスク上の該セグメントＳ２の位置を決定することが義務付けられる。斯くして、レーザビームＢによるデータ記録は、セグメントＳ３の始めＳｔａｒｔ＿Ｓ３においてしか始められず、これは、レーザビームＢが、セグメントＳ２全体にわたりアクティブでない（inactive）ことを意味する。斯くして、記録プロセスは最適でない。
【発明の開示】
【発明が解決しようとする課題】
【０００９】
本発明の目的は、光ディスクに複数のレーザビームによってデータを記録するための改善された方法及びシステムを提供することにある。
【課題を解決するための手段】
【００１０】
光ディスクに複数のレーザビームによってデータを記録する前記方法は、同期パターンによってそれぞれ識別されるセグメントを有する。前記複数のレーザビームは、第１セグメントにデータを記録する及び／又は第１セグメントからデータを読取るための、前記光ディスク上で第１位置にある第１レーザビームと、第２セグメントにデータを記録するための、前記光ディスク上で第２位置にある第２レーザビームとを少なくとも有する。当該方法は、
−  前記第１位置並びに前記第１レーザビーム及び前記第２レーザビーム間の相対距離から前記第２位置を演算するステップ、
−  前記第２レーザビームによって同期パターンを検出するステップ、及び
−  前記第２位置及び前記検出された同期パターンに基づいて前記第２レーザビームによるデータの記録を開始するステップ、
を有する。
【００１１】
この方法は、セグメントの始めを素早く検出することを可能にし、ゆえに、各レーザビームによってなされるデータ記録は最適となり、結果として、記録速度が増加する。
【００１２】
本発明はまた、前記方法の様々なステップを実行するための処理手段を有するシステムも提案する。
【００１３】
本発明による光ディスクにデータを記録するための方法及びシステムのこれらの及びその他の特徴は、以下に記載の添付図面を参照した実施例について詳述され、明らかとなるであろう。
【発明を実施するための最良の形態】
【００１４】
図面を通して、同様の参照数字は、同様の部分を示すために用いられている。
【００１５】
図２は、第１の例として、光ディスク上で平行にデータを記録するための２つのレーザビームＡ及びＢを図示する。
【００１６】
レーザビームＡの初期位置は、セグメント１の始めに位置し、レーザビームＢの初期位置は、セグメント４内部のどこかに位置する。
【００１７】
レーザビームＡはセグメントの始めに位置付けられるので、レーザビームＡは、セグメント１の始めからデータの記録を開始することができる。
【００１８】
レーザビームＢはセグメント４の内部に位置し、レーザビームＢの位置及びセグメント５の始めの間の距離がセグメント４の１／３より短いので、セグメント５の始めは、レーザビームＡの位置と、レーザビームＡの位置及びレーザビームＢの位置の間の相対距離とに基づいて、並びにレーザビームＢにより検出される同期パターンに基づいて検出されることができる。同期パターンは、光ディスクのストラクチャ(structure)内に予め格納されている既知のワードに対応し、フラグとして作用する。
【００１９】
結果として、本発明によれば、レーザビームＢは、セグメント５の始めから、すなわち、次のセグメントの始めの最初から記録を開始することができる。
【００２０】
図３は、第２の例として、光ディスク上で平行にデータを記録するための２つのレーザビームＡ及びＢを図示する。
【００２１】
図３は、レーザビームＢによって既に記録されたデータを持つセグメント１２の内部に位置するレーザビームＡを示し、レーザビームＡの位置は、光ディスク上に記録されたデータ情報から知得されることができる。
【００２２】
レーザビームＢはセグメント２３の内部に位置し、セグメント２３の始めも、レーザビームＡの位置と、レーザビームＡの位置及びレーザビームＢの位置の間の相対距離とに基づいて、並びにレーザビームＢにより検出される同期パターンに基づいて検出されることができる。同期パターンは、光ディスクのストラクチャ内に予め格納されている既知のワードに対応し、フラグとして作用する。
【００２３】
結果として、本発明によれば、レーザビームＢは、セグメント２３の始めから、すなわち、次のセグメントの始めの最初から記録を開始することができる。
【００２４】
図４は、本発明による光ディスクにデータを記録する方法を示すフローチャートである。
【００２５】
同期パターンによってそれぞれ識別されるセグメントを有する光ディスクに複数のレーザビームによってデータを記録する当該方法によれば、前記複数のレーザビームが、第１セグメントにデータを記録する及び／又は第１セグメントからデータを読取るための、前記光ディスク上で第１位置にある第１レーザビームと、第２セグメントにデータを記録するための、前記光ディスク上で第２位置にある第２レーザビームとを少なくとも有し、当該方法は、
−  前記第１位置並びに前記第１レーザビーム及び前記第２レーザビーム間の相対距離から前記第２位置を演算するステップ（４１０）（前記光ディスク上の前記第１レーザビームの前記第１位置は、プリグルーブ情報又は他のレーザビームによって既に記録されたデータ情報から得られる。）
−  前記第２レーザビームによって同期パターンを検出するステップ（４２０）（前記相対距離は、前記第１レーザビーム及び前記第２レーザビーム間の角度差(angular  difference)又は径の差(radial difference)に相当する。）、及び
−  前記第２位置及び前記検出された同期パターンに基づいて前記第２レーザビームによるデータの記録を開始するステップ（４３０）、
を有する。
【００２６】
図１に戻ると、本発明による方法は、レーザビームＢについてセグメントＳ２の始めＳｔａｒｔ＿Ｓ２を検出することができ、従来技術のようにセグメントＳ３の始めＳｔａｒｔ＿Ｓ３から検出しない。言い換えれば、レーザビームＢは、最も近いデータセグメントからより早く記録を開始することができる。
【００２７】
演算ステップ（４１０）は、光ディスクに予め定められている螺旋構造から得られる式により実施され得る。
【００２８】
公式は、光ディスク上の螺旋を表す式から開始される。これは、以下の式のように極座標で表されることができる。
【数１】
2009516321.tif 000003
ここで、ｒは、光ディスクの螺旋上のある位置の径であり、θは、光ディスクの螺旋上の前記位置の角度であり、ｒ０は、光ディスクの螺旋の開始位置の径であり、Ｔｐは、トラックピッチである。
【００２９】
次いで、光ディスクの螺旋において特定される位置は、以下のように表される。
【数２】
2009516321.tif 000004
ここで、ｌ（θ）は、螺旋トラックの始めから角度θにおける第１レーザビームの位置まで演算される螺旋長(spiral length)である。
【００３０】
第１レーザビームの位置が知られると、第２レーザビームの位置は、以下のように演算されることができる。
【数３】
2009516321.tif 000005
ここで、Δθは、演算されるべき第２レーザビームの位置及び第１レーザビームの位置間の角度差である。
【００３１】
例えば、Δθは、ｎ×２πの値からそう離れていない（ｎは、光ディスク上の螺旋トラックの数の観点におけるこれら位置の間の距離である）。
【００３２】
さらに、式３は、平方根演算子を取り除くことにより近似されることができる。トラックピッチは相対的に小さいため、項ｎ２πＴｐは無視されることができ、結果として以下の式が得られる。
【数４】
2009516321.tif 000006
【００３３】
ある光学ドライブにおいては、スレッジの位置が精密に監視され制御される。それゆえ、パラメータｒ１が、以下のように第２レーザビームの位置lを演算するために用いられ得る。
【数５】
2009516321.tif 000007
ここで、ｌは、光ディスク上に位置する第２レーザビームの位置であり、ｒ１は、光ディスク上に位置する第１レーザビームの位置の径であり、ｌｌは、第１レーザビームの位置の螺旋長であり、Δθは、第１レーザビームの位置及び第２レーザビームの位置間の角度差である。
【００３４】
斯くして、式５は、光ディスク上に位置する第２レーザビームの位置を演算するために用いられることができる。
【００３５】
図５は、同期パターンによってそれぞれ識別されるセグメントを有する光ディスク５６０に複数のレーザビーム（Ａ、Ｂ）によってデータを記録する、本発明による方法を実施するためのシステム５００を示し、前記複数のレーザビーム（Ａ、Ｂ）は、第１セグメントにデータを記録する及び／又は第１セグメントからデータを読取るための、前記光ディスク５６０上で第１位置にある第１レーザビームＡと、第２セグメントにデータを記録するための、前記光ディスク５６０上で第２位置にある第２レーザビームＢとを少なくとも有し、当該システムは、
−  前記第１位置並びに前記第１レーザビーム及び前記第２レーザビーム間の相対距離から前記第２位置を演算する手段（５２０）（前記光ディスク上の前記第１レーザビームの前記第１位置は、プリグルーブ情報又は他のレーザビームによって既に記録されたデータ情報から得られる。）、
−  前記第２レーザビームによって同期パターンを検出する手段（５３０）（前記相対距離は、前記第１レーザビーム及び前記第２レーザビーム間の角度差又は径の差に相当する。）、及び
−  前記第２位置及び前記検出された同期パターンに基づいてデータの記録を開始するように前記第２レーザビームを制御する手段（５４０）、
を有する。
【００３６】
システム５００はさらに、光ディスク５６０にデータを記録するための及び／又は光ディスク５６０からデータを読取るための光学ピックアップユニット５１０、並びに光ディスク５６０に記録されるべきデータを符号化するためのデータエンコーダ５５０を有する。
【００３７】
光学ピックアップユニット５１０は、プリグルーブ情報又は光ディスク５６０に既に記録されているデータ情報を読取り、取得する(retrieve)ために用いられ、演算手段５２０及び検出手段５３０に斯かる信号を生成する。光学ピックアップユニット５１０は、光ディスク５６０にデータを記録するためにレーザビーム（Ａ、Ｂ）を生成するためのレーザ源５１１を有する。レーザ源５１１の記録プロセスは、制御手段５４０により制御される。
【００３８】
システム５００の全ての信号処理機能は、例えば、メモリに格納されたソフトウェア又はファームウェアのコード命令を実行するシグナルプロセッサによって実施されても良い。
【００３９】
有利なことに、このシステムは、複数のレーザビームによって光ディスクにデータを記録するための装置(例えば、コンピュータディスクドライブ、スタンドアローンシステム)に統合されても良いであろう。
【００４０】
上記の実施例は、本発明を限定するものではなく例示するものであり、当業者は、添付されている特許請求の範囲から外れない代替的な実施例を設計し得るであろうことに注意されたい。特許請求の範囲において、括弧内の如何なる参照符号も、特許請求の範囲を限定するものとして解釈されるべきではない。「有する」という用語は、請求項内に記載されている要素又はステップ以外の要素又はステップの存在を除外しない。要素の単数形表記は、このような要素の複数の存在を除外しない。本発明は、幾つかの別個の素子を有するハードウェア、及び適当にプログラムされたコンピュータによって実施され得る。幾つかの手段を列挙している装置クレームにおいては、これらの手段の幾つかは、同一のハードウェアアイテムによって実施されてもよい。第１、第２、第３等の用語は、順番を示すものではない。これら用語は、名称として解釈されるべきである。
【図面の簡単な説明】
【００４１】
【図１】図１は、光ディスク上の３つの連続したデータセグメントを示す概略図である。
【図２】図２は、第１の例として、光ディスク上で平行にデータを記録するための２つのレーザビームＡ及びＢを図示する。
【図３】図３は、第２の例として、光ディスク上で平行にデータを記録するための２つのレーザビームＡ及びＢを図示する。
【図４】図４は、本発明による光ディスクにデータを記録する方法を示すフローチャートである。
【図５】図５は、本発明による方法を実施するためのシステムを示す。
【図１】
2009516321.tif 000008
【図２】
2009516321.tif 000009
【図３】
2009516321.tif 000010
【図４】
2009516321.tif 000011
【図５】
2009516321.tif 000012
【国際調査報告】
2009516321.tif 000013
2009516321.tif 000014